(57)【要約】      （修正有）【課題】誰でも簡単に設置出来ると共に、支柱レスの安価な灯油タンク用フードを提供する。【解決手段】灯油タンクの天板上に直置き出来るコンパクトな枠体構造とし、両側面板ｂの最下部に水平部ｃを設けると共に、湾曲の凹み部ｄが残量ゲージや給油口の首部を挟み捉える構造とした。【選択図】図３
0003137320.tif 000002
【実用新案登録請求の範囲】
【請求項１】
灯油タンクの天板面の片側に並配置される残量ゲージや給油口などの突出部品を雨雪から防護するためのピンポイント式フードであって、本体は金属や樹脂などの一枚板部材が逆Ｕ字状などに曲げられて前後面が解放された枠体構造を為すと共に、前記灯油タンクの天板面に直接溶接固定、若しくはボルト固定にて設置される事を特徴とする、灯油タンク用の簡易フード、及び簡易フードを備えた灯油タンク。
【請求項２】
上記本体の両最下部はそれぞれ内側への曲げ加工による水平部が設けられ、概水平部にはＲ３７ミリ前後の湾曲の凹みが設けられている事を特徴とする、請求項１記載の灯油タンク用の簡易フード、及び簡易フードを備えた灯油タンク。
【考案の詳細な説明】
【技術分野】
【０００１】  本考案は、暖房用燃料の貯蔵のために屋外設置される灯油貯蔵用タンクに付帯される突出部品（残量ゲージ、給油口など）を雨雪から守るための簡易フードの構造に関する。
【背景技術】
【０００２】  寒冷地の多くの建物には４９０リットルなどの大型の灯油貯蔵用タンク（以後灯油タンクと記す）が常設されるが、天板面に無防備に突出する残量ゲージにはトラブルが生じ易い。例えば、積もる雪氷により透明ケースが破損したり、目盛が雪に塞がれ視認不能になる問題がある。また、給油口の場合では給油業者は給油口に積もった雪を毎度取り除く手間が掛かる事や、降雪時には雨雪がタンク内に混入する問題がある。【０００３】  因みに、近年主流となっている角型灯油タンクにはフードがオプションとして用意される。例えば、先願発明である「灯油ホームタンクフード」なるものに代表されるように、従来のフードとは灯油タンク上を被う屋根構造の設備の事である。よって、これを安定設置させるには頑強な支柱が不可欠であり、その大掛かりな構造からは数万もの高価品となり設置費用も別途必要とされる。要するに、フードは高価格がネックとなりほとんど流通していない代表的用具なのである。また、灯油タンク上に大型重量物が乗るものはバランスが悪く、強風や地震で丸ごと転倒の確率が高くなる問題も生じる。【０００４】  更に、上記のフードは角型灯油タンク専用であり、既に広く普及している旧タイプの丸型灯油タンク用のフードは全く存在していないのが現状である。
【参考文献１】
特開２００２−１１４３００
【考案の開示】
【考案が解決しようとする課題】
【０００５】  以上の説明の通り、高価なフードでは普及はほとんど見込めない。すなわち、流通しないものは丸型灯油タンクと同様に無いに等しいと云える。このため、先述した残量ゲージ、及び給油口の雨雪問題は放置されたままなのである。本考案は灯油タンクに大掛かりなフードを設置する従来発想を根底から覆し、小型軽量で限界的に安価とするのは勿論、全ての灯油タンクに共有使用が可能な新発想の簡易フードを提供する事にある。
【課題を解決するための手段】
【０００６】  本課題を解決するため請求項１に記載の考案によれば、灯油タンクの天板面の片側に並配置される残量ゲージや給油口などの突出部品を雨雪から防護するためのピンポイント式フードであって、本体は金属や樹脂などの一枚板部材が逆Ｕ字状などに曲げられて前後面が解放された枠体構造を為すと共に、前記灯油タンクの天板面に直接溶接固定、若しくはボルト固定にて設置される事を特徴とする、灯油タンク用の簡易フード、及び簡易フードを備えた灯油タンクとしたものである。【０００７】  また、請求項２に記載の考案によれば、上記本体の両最下部はそれぞれ内側への曲げ加工による水平部が設けられ、概水平部にはＲ３７ミリ前後の湾曲の凹みが設けられている事を特徴とする、請求項１記載の灯油タンク用の簡易フード、及び簡易フードを備えた灯油タンクとしたものである。
【考案の効果】
【０００８】  請求項１記載の考案による効果の第一は、本簡易フードは灯油タンク天板面の片側に並配置される残量ゲージや給油口をピンポイントでカバーする形態であり、支柱レスのまま灯油タンクの天板面に直置き設置される形態である。よって、単純でコンパクトな構造からは従来型のフードに比べ桁違いの低コストが実現する。【０００９】  第二に、枠体構造は間口調整での融通性を有するため、既存のあらゆる灯油タンクへの設置を可能にしている。更に、残量ゲージと給油口、固定式や着脱式を問わず共有出来る万能性が得られる。【００１０】  第三に、従来型のフードは大掛かりな設備のため店舗陳列や在庫に向かず、購入者の持ち帰りさえ困難であったが、本簡易フードは誰でも手に取ってその機能を確認出来る業界初の一般店頭品となるため膨大な需要に直結する。【００１１】  第四に、コンパクトな本体は灯油タンクの重量バランスを崩さず暴風時にも安心安全である。また、設置による防雨雪機能だけではなく、灯油タンク自体をお洒落に演出する。この見た目具合は重要で、壊れ易い残量ゲージが無防備に放置されている現状が気になっていたユーザーには待望のフードとなる。【００１２】  次に、請求項２に記載の考案による効果は、湾曲の凹みは残量ゲージや給油口の突出する首部を両面から挟むように捉えるため、首部を利用してボルト締めする着脱自在の設置を可能としている。また、水平部は簡易フード本体の強度を上げると共に、灯油タンクへの重量負荷を分散緩和する。
【考案を実施するための最良の形態】
【００１３】  本簡易フードは灯油タンク天板の片側に並配置される残量ゲージや給油口を個別に囲う単体構造が基本であるが、以下の実施例で示すように突出部品を複数まとめて囲うタイプも可能である。【００１４】  また、先述したように本簡易フードを灯油タンクに溶接した場合は灯油タンクへの標準装備となる。以下の実施例では標準装備の方を省き、ボルトを用いた着脱方式のみを取り上げて説明する。何故なら、本体には構造的な相違はなく共有されるからである。
【実施例１】
【００１５】  図例１は本簡易フードを灯油タンクの残量ゲージのみに設置した場合を示すものであり、図例２は残量ゲージと給油口の両方に設置した場合を示す。また、図例３は本品の斜視図であり、ボルトを左右の側面板に通し、ナットや蝶ネジで締め付け固定される機構を説明している。また、図例４は従来型フードの参考図であるが、本簡易フードと併用する使用法にも矛盾なく適合する事を示している。
【実施例２】
【００１６】  図例５は残量ゲージ、給油口、通気管の配置を寄せた灯油タンクと、これらをまとめて囲うタイプの簡易フードを組み合わせたタイプであり、灯油タンク構造の理想型を示す参考例である。因みに、この場合でもＵ字ボルトを左右の残量ゲージと給油口の首部に固定すれば着脱式が可能である。
【図面の簡単な説明】
【００１７】
【図１】簡易フードを残量ゲージへ用いた設置例を示す。
【図２】簡易フードを残量ゲージと給油口へ用いた設置例を示す。
【図３】簡易フードの斜視図である。
【図４】従来型のフードの説明図である。
【図５】別例の灯油タンクと簡易フードを組み合わせた参考例を示す。
【符号の説明】
【００１８】    ａ：簡易フード本体
ｂ：側面板
ｃ：水平部
ｄ：湾曲の凹み
ｅ：ボルト＆ナット（蝶ナット）
１０：残量ゲージ
２０：給油口
３０：通気管
４０：灯油タンク
４１：灯油タンクの脚
【図１】
0003137320.tif 000003
【図２】
0003137320.tif 000004
【図３】
0003137320.tif 000005
【図４】
0003137320.tif 000006
【図５】
0003137320.tif 000007